(57)【要約】【課題】ＰＣＢで汚染された絶縁油、ＰＣＢで汚染された廃電気機器、及びＰＣＢで汚染された廃棄物を含む処理対象物の無害化処理が可能なＰＣＢ含有物の処理方法を提供する。【解決手段】ＰＣＢ含有物の処理方法は、処理対象物を加熱ガス化炉２０に装入し６００〜１０００℃で３時間以上加熱し、処理対象物に含まれるＰＣＢをガス化して分離する第１工程と、加熱ガス化炉２０から排出されるＰＣＢを含む燃焼ガスを燃焼処理手段２５に入れて、８５０℃以上で２秒以上滞留させる焼却処理を行って含まれるＰＣＢを無害化する第２工程と、加熱ガス化炉２０で加熱処理した処理対象物を解体し、鉄類、銅類、及び碍子類に分別する第３工程と、焼却処理手段２５から排出される焼却残渣をリサイクル原料とする第４工程と、焼却処理手段２５からの排ガスを冷却洗浄し、除塵、脱硫、及びダイオキシン除去を行って大気に放散する第５工程とを有する。【選択図】図１
2012106182.tif 000002
【特許請求の範囲】
【請求項１】
ＰＣＢに汚染された絶縁油、ＰＣＢに汚染された廃電気機器、及びＰＣＢに汚染された廃棄物のいずれか１又は２以上を含む処理対象物の無害化処理方法であって、
前記処理対象物を加熱ガス化炉に装入し、製鉄副生ガスを燃料にして６００〜１０００℃で３時間以上加熱し、前記処理対象物に含まれるＰＣＢをガス化して該処理対象物から分離する第１工程と、
前記加熱ガス化炉から排出されるＰＣＢを含む燃焼ガスを燃焼処理手段に入れて、８５０℃以上の温度雰囲気に２秒以上滞留させる焼却処理を行って、含まれるＰＣＢを無害化する第２工程と、
前記加熱ガス化炉で加熱処理した前記処理対象物を取出して解体し、鉄類、銅類、及び碍子類に分別する第３工程と、
前記焼却処理手段から排出される焼却残渣をリサイクル原料とする第４工程と、
前記焼却処理手段からの排ガスを冷却洗浄し、除塵、脱硫、及びダイオキシン除去を行って大気に放散する第５工程とを有することを特徴とするＰＣＢ含有物の処理方法。
【請求項２】
請求項１記載のＰＣＢ含有物の処理方法において、前記処理対象物中、前記ＰＣＢに汚染された廃電気機器は前記加熱ガス化炉に入れて加熱処理することを特徴とするＰＣＢ含有物の処理方法。
【請求項３】
請求項２記載のＰＣＢ含有物の処理方法において、前記ＰＣＢに汚染された廃電気機器が前記ＰＣＢに汚染された絶縁油が封入された柱上トランスであって、該柱上トランスは前記ＰＣＢに汚染された絶縁油を抜油した後に開蓋状態にすることを特徴とするＰＣＢ含有物の処理方法。
【請求項４】
請求項１〜３のいずれか１項に記載のＰＣＢ含有物の処理方法において、前記処理対象物中、前記ＰＣＢに汚染された絶縁油は前記焼却処理手段に入れて焼却処理することを特徴とするＰＣＢ含有物の処理方法。
【請求項５】
請求項１〜４のいずれか１項に記載のＰＣＢ含有物の処理方法において、前記第１工程の加熱処理で発生した加熱残渣は、前記第３工程で回収し前記焼却処理手段に下流側が連通するロータリーキルンに投入することを特徴とするＰＣＢ含有物の処理方法。
【請求項６】
請求項５記載のＰＣＢ含有物の処理方法において、前記処理対象物中、前記ＰＣＢに汚染された廃棄物は前記ロータリーキルンに入れて焼却処理することを特徴とするＰＣＢ含有物の処理方法。
【請求項７】
請求項１〜４のいずれか１項に記載のＰＣＢ含有物の処理方法において、前記処理対象物中、前記ＰＣＢに汚染された廃棄物は前記加熱ガス化炉に入れて加熱処理することを特徴とするＰＣＢ含有物の処理方法。
【請求項８】
請求項５又は６記載のＰＣＢ含有物の処理方法において、前記処理対象物中、廃プラスチック、廃油、汚泥、及び廃液のいずれか１又は２以上を含む産廃物は、前記ロータリーキルンを介して又は直接前記焼却処理手段に投入することを特徴とするＰＣＢ含有物の処理方法。
【請求項９】
請求項１〜８のいずれか１項に記載のＰＣＢ含有物の処理方法において、前記第４工程での焼却残渣は、製鉄集塵ダストと混合して焼成し、焼成物をペレット化して高炉原料とすることを特徴とするＰＣＢ含有物の処理方法。
【請求項１０】
請求項１〜８のいずれか１項に記載のＰＣＢ含有物の処理方法において、前記第４工程での焼却残渣は、製鉄集塵ダストと混合して焼成し、焼成物をそのままセメント副原料とすることを特徴とすることを特徴とするＰＣＢ含有物の処理方法。
【発明の詳細な説明】
【技術分野】
【０００１】
本発明は、ＰＣＢ（ポリ塩化ビフェニル）に汚染された絶縁油、ＰＣＢに汚染された廃電気機器、及びＰＣＢに汚染された廃棄物を含む処理対象物の無害化処理方法に関する。
ＰＣＢに汚染された絶縁油とは、数ｍｇ／ｋｇ〜数十ｍｇ／ｋｇ程度の微量のＰＣＢによって非意図的に汚染された絶縁油（以下、微量ＰＣＢ汚染絶縁油という）を指す。
ＰＣＢに汚染された廃電気機器とは、ＰＣＢを使用していないとする電気機器（柱上トランス、コンデンサ、トランス、リアクトル、変成器、変流器、アブソーバ、遮断器、整流器、開閉器等）の中で、微量ＰＣＢ汚染絶縁油を含むものが廃棄物になったものを指す。
ＰＣＢに汚染された廃棄物とは、微量ＰＣＢ汚染絶縁油が塗布され、しみこみ、付着し、又は封入されたものが廃棄物になったもの（例えば、木屑、紙屑、ＯＦケーブル等）、ＰＣＢを処理する際に発生した運転廃棄物（例えば、汚泥、廃活性炭等）、ＰＣＢを処理する際に発生した作業用廃棄物品（例えば、防護服、マスク、手袋、安全靴、アルコールティッシュ、ウエス等）等である。なお、ＰＣＢに汚染された廃電気機器は、柱上トランスが約３３０万台、ＪＥＭＡ機器が約１２０万台にのぼると推計されている。そして、ＰＣＢに汚染された廃電気機器の約７７％は、絶縁油に含まれるＰＣＢ濃度が１０ｍｇ／ｋ以下であり、ＰＣＢに汚染された廃電気機器の約９９％は１００ｍｇ／ｋｇ以下であると推計されている。また、ＯＦケーブルは約１４００ｋｍと推計されている。
【背景技術】
【０００２】
例えば、トランス、コンデンサ等のＰＣＢを含有した廃電気機器は、特別管理廃棄物に指定され、日本環境安全事業株式会社（ＪＥＳＣＯ）において安全かつ確実に処理することが義務付けられている。
一方、ＰＣＢを使用していないとされていた廃電気機器の中には、微量ＰＣＢ汚染絶縁油を含んだもの（以下、微量ＰＣＢ汚染廃電気機器という）が多量に存在することが近年判明した。このような微量ＰＣＢ汚染廃電気機器は、日本環境安全事業株式会社での処理対象となっていないため、その性状等を踏まえた処理体制の構築を図ることが求められている。また、これまでＪＥＳＣＯで行われている化学処理方式では膨大な処理費がかかるため、効率的な処理が検討されている。そこで、既存の加熱設備を使用して、微量ＰＣＢ汚染物を安価かつ確実に処理する方法として、例えば、特許文献１に示す技術が提案されている。
【先行技術文献】
【特許文献】
【０００３】
【特許文献１】特開２００８−２７４３１０号公報
【発明の概要】
【発明が解決しようとする課題】
【０００４】
しかしながら、特許文献１に示す技術は、微量ＰＣＢ汚染絶縁油の処理には適用できるが、微量ＰＣＢ汚染廃電気機器及び微量ＰＣＢ汚染物の処理には適用できないという問題がある。更に、既存の加熱設備として、高炉を使用するため、処理場所が非常に限定されるという問題もある。
【０００５】
本発明はかかる事情に鑑みてなされたもので、特殊な設備を使用せずに、ＰＣＢに汚染された絶縁油、ＰＣＢに汚染された廃電気機器、及びＰＣＢに汚染された廃棄物を含む処理対象物の無害化処理が可能なＰＣＢ含有物の処理方法を提供することを目的とする。
【課題を解決するための手段】
【０００６】
前記目的に沿う本発明に係るＰＣＢ含有物の処理方法は、ＰＣＢに汚染された絶縁油、ＰＣＢに汚染された廃電気機器、及びＰＣＢに汚染された廃棄物のいずれか１又は２以上を含む処理対象物の無害化処理方法であって、
前記処理対象物を加熱ガス化炉に装入し、製鉄副生ガスを燃料にして６００〜１０００℃で３時間以上加熱し、前記処理対象物に含まれるＰＣＢをガス化して該処理対象物から分離する第１工程と、
前記加熱ガス化炉から排出されるＰＣＢを含む燃焼ガスを燃焼処理手段に入れて、８５０℃以上の温度雰囲気に２秒以上滞留させる焼却処理を行って、含まれるＰＣＢを無害化する第２工程と、
前記加熱ガス化炉で加熱処理した前記処理対象物を取出して解体し、鉄類、銅類、及び碍子類に分別する第３工程と、
前記焼却処理手段から排出される焼却残渣をリサイクル原料とする第４工程と、
前記焼却処理手段からの排ガスを冷却洗浄し、除塵、脱硫、及びダイオキシン除去を行って大気に放散する第５工程とを有する。
【０００７】
本発明に係るＰＣＢ含有物の処理方法において、前記処理対象物中、前記ＰＣＢに汚染された廃電気機器は前記加熱ガス化炉に入れて加熱処理することができる。
ここで、前記ＰＣＢに汚染された廃電気機器が前記ＰＣＢに汚染された絶縁油が封入された柱上トランスであって、該柱上トランスは前記ＰＣＢに汚染された絶縁油を抜油した後に開蓋状態にして前記加熱ガス化炉に入れることが好ましい。
【０００８】
本発明に係るＰＣＢ含有物の処理方法において、前記処理対象物中、ＰＣＢに汚染された絶縁油は前記焼却処理手段に入れて焼却処理することができる。
【０００９】
本発明に係るＰＣＢ含有物の処理方法において、前記第１工程の加熱処理で発生した加熱残渣は、前記第３工程で回収し前記焼却処理手段に下流側が連通するロータリーキルンに投入することが好ましい。
【００１０】
本発明に係るＰＣＢ含有物の処理方法において、前記処理対象物中、前記ＰＣＢに汚染された廃棄物は前記ロータリーキルンに入れて焼却処理することができる。
また、前記処理対象物中、前記ＰＣＢに汚染された廃棄物は前記加熱ガス化炉に入れて加熱処理することもできる。
【００１１】
本発明に係るＰＣＢ含有物の処理方法において、前記処理対象物中、廃プラスチック、廃油、汚泥、及び廃液のいずれか１又は２以上を含む産廃物は、前記ロータリーキルンを介して又は直接前記焼却処理手段に投入することができる。
【００１２】
本発明に係るＰＣＢ含有物の処理方法において、前記第４工程での焼却残渣は、製鉄集塵ダストと混合して焼成し、焼成物をペレット化して高炉原料とすることができる。
また、前記第４工程での焼却残渣は、製鉄集塵ダストと混合して焼成し、焼成物をそのままセメント副原料とすることもできる。
【発明の効果】
【００１３】
本発明に係るＰＣＢ含有物の処理方法においては、処理対象物に含まれるＰＣＢをガス化して処理対象物から分離するので、新たなＰＣＢ汚染物の発生を防止して処理対象物の無害化を行うことができる。そして、ガス化したＰＣＢを含む燃焼ガスは焼却処理手段に入れて焼却処理されるので、ＰＣＢは熱分解してＰＣＢの無害化が達成される。
また、加熱ガス化炉で加熱処理した処理対象物は解体して鉄類、銅類、碍子類に分別し、焼却処理手段で発生する焼却残渣はリサイクル原料とするので、埋立処分することなく、完全リサイクルできる。これにより、微量ＰＣＢを含む処理対象物の無害化事業の経済性を高めることができる。
【００１４】
本発明に係るＰＣＢ含有物の処理方法において、処理対象物中、ＰＣＢに汚染された廃電気機器を加熱ガス化炉に入れて加熱処理する場合、ＰＣＢに汚染された廃電気機器に含まれるＰＣＢをガス化させて分離することができる。
また、ＰＣＢに汚染された廃電気機器がＰＣＢに汚染された絶縁油が封入された柱上トランスであって、柱上トランスはＰＣＢに汚染された絶縁油を抜油した後に開蓋状態にして加熱ガス化炉に入れる場合、柱上トランスに付着しているＰＣＢに汚染された絶縁油中のＰＣＢをガス化させて確実に分離することができ、絶縁油は焼却処分することができる。
【００１５】
本発明に係るＰＣＢ含有物の処理方法において、処理対象物中、ＰＣＢに汚染された絶縁油を焼却処理手段に入れて焼却処理する場合、ＰＣＢを熱分解して無害化すると共に、絶縁油の焼却処分を行うことができる。
【００１６】
本発明に係るＰＣＢ含有物の処理方法において、第１工程の加熱処理で発生した加熱残渣を、第３工程で回収し焼却処理手段に下流側が連通するロータリーキルンに投入する場合、発生した加熱残渣の減容化を図ることができる。
【００１７】
本発明に係るＰＣＢ含有物の処理方法において、処理対象物中、ＰＣＢに汚染された廃棄物をロータリーキルンに入れて焼却処理する場合、ロータリーキルンを用いてＰＣＢに汚染された廃棄物の減容化を図ることができる。また、ＰＣＢに汚染された廃棄物がロータリーキルンを通過中、含まれているＰＣＢはガス化して分離するので、ガス化したＰＣＢは燃焼ガス中に混入して焼却処理手段内に進入し、熱分解して無害化される。
【００１８】
本発明に係るＰＣＢ含有物の処理方法において、処理対象物中、廃プラスチック、廃油、汚泥、及び廃液のいずれか１又は２以上を含む産廃物を、ロータリーキルンを介して又は直接焼却処理手段に投入する場合、ＰＣＢに汚染された処理対象物と産廃物を同時に処理するので、廃棄物処理コストの低減を図ることができる。
【００１９】
本発明に係るＰＣＢ含有物の処理方法において、第４工程での焼却残渣を、製鉄集塵ダストと混合して焼成し、焼成物をペレット化して高炉原料とする場合、又は第４工程での焼却残渣を、製鉄集塵ダストと混合して焼成し、焼成物をそのままセメント副原料とする場合、処理対象物の有効利用を図ることができる。
【図面の簡単な説明】
【００２０】
【図１】本発明の一実施の形態に係るＰＣＢ含有物の処理方法が適用されるＰＣＢ含有物の処理設備の説明図である。
【図２】同ＰＣＢ含有物の処理設備のリサイクル手段の説明図である。
【図３】同ＰＣＢ含有物の処理設備の排ガス処理手段の説明図である。
【発明を実施するための形態】
【００２１】
続いて、添付した図面を参照しつつ、本発明を具体化した実施の形態につき説明し、本発明の理解に供する。
先ず、本発明の一実施の形態に係るＰＣＢ含有物の処理方法が適用されるＰＣＢ含有物の処理設備（以下、単に処理設備ともいう）１０について説明する。
なお、処理設備１０で処理する処理対象物は、ＰＣＢに汚染された絶縁油（以下、微量ＰＣＢ汚染絶縁油という）、ＰＣＢに汚染された廃電気機器（以下、微量ＰＣＢ汚染廃電気機器という）、ＰＣＢに汚染された廃棄物（以下、微量ＰＣＢ汚染物という）、及び産廃物（廃プラスチック、廃油、汚泥、廃液等）から構成される。ここで、微量ＰＣＢ汚染廃電気機器は、柱上トランス（微量ＰＣＢ汚染絶縁油が封入された柱上トランス及び既に微量ＰＣＢ汚染絶縁油が抜油された柱上トランスのいずれか一方又は双方）と、柱上トランス以外の電気機器（以下、ＪＥＭＡ機器という）に大別される。
【００２２】
図１に示すように、処理設備１０は、輸送手段の一例であるトラック１１で搬入された微量ＰＣＢ汚染廃電気機器及び微量ＰＣＢ汚染物をそれぞれ分別して一時保管する保管倉庫１２と、輸送手段の一例であるタンクローリー１３で搬入された微量ＰＣＢ汚染絶縁油を一時保管する汚染油貯蔵タンク１４と、図示しない輸送手段でそれぞれ搬入された産廃物を、廃プラスチック、廃油、汚泥、及び廃液別に分けてそれぞれ一時保管する産廃物保管倉庫１５を有している。また、処理設備１０は、保管倉庫１２で一時保管されている微量ＰＣＢ汚染廃電気機器の中で、微量ＰＣＢ汚染絶縁油が封入された柱上トランスを切断機器等を用いて開蓋する作業場と、柱上トランス内の汚染油を抜き取るポンプ１６と、抜き取った微量ＰＣＢ汚染絶縁油を汚染油貯蔵タンク１４に輸送する汚染油受入管１７を備えた開蓋抜油手段１８を有している。
【００２３】
更に、処理設備１０は、開蓋状態となっている柱上トランス（微量ＰＣＢ汚染絶縁油を抜油した柱上トランス及び搬入時に既に微量ＰＣＢ汚染絶縁油が抜油されている柱上トランスのいずれか一方又は双方）及びＪＥＭＡ機器を積載した台車１９を収容して加熱処理を行う固定床炉２０（加熱ガス化炉の一例）と、固定床炉２０で開蓋状態となっている柱上トランス及びＪＥＭＡ機器の加熱処理を行った際に発生する加熱残渣、保管倉庫１２で一時保管されている微量ＰＣＢ汚染物、産廃物保管倉庫１５で一時保管されている産廃物（例えば、廃プラスチック、汚泥、廃油）を焼却処理するロータリーキルン２１と、ロータリーキルン２１の下流側と連通し、固定床炉２０から燃焼排ガス配管２２を介して供給された燃焼ガス及び汚染油貯蔵タンク１４からポンプ２３で汲み出され汚染油輸送管２４を介して供給された微量ＰＣＢ汚染絶縁油を燃焼する焼却処理手段の一例である二次燃焼炉２５とを有している。これによって、柱上トランス及びＪＥＭＡ機器を固定床炉２０で加熱処理した際にガス化して離脱し燃焼ガス中に混入したＰＣＢ、微量ＰＣＢ汚染物を産廃物と共にロータリーキルン２１で焼却処理した際にガス化して離脱し燃焼ガス中に混入したＰＣＢ、及び微量ＰＣＢ汚染絶縁油中のＰＣＢを、燃焼処理して無害化処理できる。
そして、処理設備１０には、ロータリーキルン２１の下流側から排出され、二次燃焼炉２５の底部に設けられた排出口２５ａを介して取出される焼却残渣をリサイクル原料の一例である高炉原料とするリサイクル手段２６と、二次燃焼炉２５からの排ガスを冷却洗浄し、除塵処理、脱硫及びダイオキシン除去を行って大気に放散する排ガス処理手段２７と、固定床炉２０で加熱処理した処理対象物を取出して解体し、鉄類、銅類、碍子類に分別する解体分別手段４０が設けられている。
【００２４】
図２に示すように、リサイクル手段２６は、ロータリーキルン２１の下流側から排出され二次燃焼炉２５の排出口２５ａを介して取出される焼却残渣と製鉄所の各種製造工程で発生した製鉄集塵ダスト（酸化鉄含有ダスト）を混合して混合物を作製する撹拌機２８と、混合物を、９００〜１０００℃（例えば９５０℃）の温度で焼成して、混合物中の炭素を除去して加熱処理物を製造する加熱炉２９（例えば流動床炉）とを有している。更に、リサイクル手段２６は、加熱処理物に塩化物の一例である塩化カルシウムを加えて混合して成形用配合物を製造する混合機３０（例えばボールミル）と、成形用配合物を、例えば粒径が１０ｍｍのペレットに成形する造粒機３１（例えばパンペレタイザ）と、得られたペレットを乾燥する乾燥機３２（例えばコンベアドライヤ）と、乾燥後のペレットを７００℃以上（例えば８００〜１２００℃）で加熱して、ペレット中の非鉄金属成分を塩化物にして揮発させる熱処理炉３３（例えばロータリーキルン）とを有している。
【００２５】
図３に示すように、排ガス処理手段２７は、二次燃焼炉２５からの排ガスに水を噴霧して冷却する冷却塔３４と、冷却後の排ガスを水中に排出して排ガス中の塩化水素、硫黄酸化物、塵を除去する洗浄塔３５と、洗浄された排ガス中に残存する塵を除去する湿式の電気集塵機３６と、排ガス中に残存する二酸化硫黄を水酸化カルシウムで吸収する脱硫塔３７と、脱硫塔３７の出口側に接続される排ガスファン３８と、排ガスファン３８から送り出された排ガス中のダイオキシンを吸着除去するダイオキシン除去塔３９とを有している。なお、ダイオキシン除去塔３９から排出された排ガスは、煙突を介して大気中に放出される。
【００２６】
続いて、本発明の一実施の形態に係るＰＣＢ含有物の処理方法について説明する。
本発明の一実施の形態に係るＰＣＢ含有物の処理方法は、例えば、微量ＰＣＢ汚染絶縁油、微量ＰＣＢ汚染廃電気機器、微量ＰＣＢ汚染物、及び産廃物から構成される処理対象物の無害化処理方法であって、柱上トランス及びＪＥＭＡ機器（微量ＰＣＢ汚染廃電気機器）を台車１９に積載して固定床炉２０に装入し、製鉄副生ガスを燃料にして６００〜１０００℃で３時間以上加熱し、処理対象物に含まれるＰＣＢをガス化して柱上トランス及びＪＥＭＡ機器から分離する第１工程を有している。
【００２７】
また、ＰＣＢ含有物の処理方法は、固定床炉２０の加熱処理で発生した加熱残渣（第３工程で回収）、保管倉庫１２で一時保管されている微量ＰＣＢ汚染物、産廃物保管倉庫１５で一時保管されている産廃物（例えば、廃プラスチック、汚泥、廃油）を、８５０℃以上、好ましくは９００℃以上の温度で焼却処理するロータリーキルン２１の下流側と連通する二次燃焼炉２５に、微量ＰＣＢ汚染絶縁油及び固定床炉２０から排出されるＰＣＢを含む燃焼ガスを入れて、８５０℃以上、好ましくは１１００〜１２５０℃以上の温度雰囲気に２秒以上滞留させる焼却処理を行って、含まれるＰＣＢを無害化する第２工程を有している。
ここで、ロータリーキルン２１で微量ＰＣＢ汚染物を焼却処理する際に、微量ＰＣＢ汚染物からＰＣＢがガス化して離脱するので、ガス化したＰＣＢは燃焼ガス中に混入しロータリーキルン２１の下流側に連通する二次燃焼炉２５内に進入し、熱分解して無害化される。
【００２８】
更に、ＰＣＢ含有物の処理方法は、固定床炉２０で加熱処理した被加熱物を取出して解体し、鉄類、銅類、及び碍子類に分別する第３工程と、ロータリーキルン２１の下流側から排出され、二次燃焼炉２５の下流側に設けられた排出口２５ａを介して排出される焼却残渣をリサイクル原料とする第４工程と、二次燃焼炉２５からの排ガスを冷却洗浄し、除塵、脱硫、及びダイオキシン除去を行って大気に放散する第５工程とを有する。以下、詳細に説明する。
【００２９】
保管倉庫１２内に一時保管されている微量ＰＣＢ汚染廃電気機器の中で、微量ＰＣＢ汚染絶縁油が封入された柱上トランスは、開蓋抜油手段１８の作業場に搬入して解体機器を用いて開蓋する。そして、柱上トランス内の微量ＰＣＢ汚染絶縁油をポンプ１６を用いて抜き取り、抜き取った汚染油は汚染油受入管１７を介して汚染油貯蔵タンク１４に輸送する。次いで、開蓋状態の柱上トランス及び保管倉庫１２内に一時保管されているＪＥＭＡ機器を台車１９に積載する。なお、微量ＰＣＢ汚染廃電気機器の中に微量ＰＣＢ汚染絶縁油が既に抜き取られた柱上トランス（抜油済柱上トランス）が存在する場合は、抜油済柱上トランスを開蓋状態にして、抜油して開蓋状態とした柱上トランスと共に台車１９に積載する。そして、この台車１９を固定床炉２０に挿入して固定床炉２０の扉を閉め、製鉄副生ガスを燃料にして６００〜１０００℃の温度で３時間以上保持する加熱処理を行う。これによって、開蓋状態となっている柱上トランス及びＪＥＭＡ機器に含まれていたＰＣＢはガス化して離脱し、ＰＣＢを分離することができる。なお、固定床炉２０から排出されるＰＣＢを含む燃焼ガスは、燃焼排ガス配管２２を介して二次燃焼炉２５に導入する（以上、第１工程）。
【００３０】
固定床炉２０から二次燃焼炉２５内に排出されたＰＣＢを含む燃焼ガスと、汚染油貯蔵タンク１４内からポンプ２３で汲み出され汚染油輸送管２４を介して二次燃焼炉２５内に供給された微量ＰＣＢ汚染絶縁油は、二次燃焼炉２５内の８５０℃以上、好ましくは１１００〜１２５０℃以上の雰囲気に２秒以上曝されるため、燃焼ガス中及び微量ＰＣＢ汚染絶縁油中に含まれるＰＣＢは焼却されて分解し、無害化される。一方、保管倉庫１２に一時保管されていた微量ＰＣＢ汚染物は、固定床炉２０で加熱処理した際に発生した加熱残渣と共に、ロータリーキルン２１に投入される。微量ＰＣＢ汚染物はロータリーキルン２１内を通過する際に、８５０℃以上、好ましくは９００℃以上で焼却処理されて減容化される。このとき、微量ＰＣＢ汚染物からＰＣＢがガス化して離脱するので、ガス化したＰＣＢはロータリーキルン２１内で発生した燃焼ガス中に混入し、二次燃焼炉２５内に進入して２秒以上曝されるので、二次燃焼炉２５内で焼却により分解し、無害化される。
【００３１】
ここで、産廃物保管倉庫１５に一時保管されている廃プラスチック及び汚泥は、ロータリーキルン２１に投入され、焼却処理されて減容化される。また、産廃物保管倉庫１５に一時保管されている廃油の一部はロータリーキルン２１に投入され、廃油の残部は二次燃焼炉２５に直接投入されて焼却処理される。更に、産廃物保管倉庫１５に一時保管されている廃液は、二次燃焼炉２５に直接投入され、燃焼処理される。なお、ロータリーキルン２１で生成した焼却残渣は、ロータリーキルン２１の下流側から排出され、二次燃焼炉２５の下流側に設けられた排出口２５ａを介して外部に排出される。また、二次燃焼炉２５からの排ガスは、排ガス処理手段２７に供給される（以上、第２工程）。
【００３２】
固定床炉２０で加熱処理した被加熱物は、解体分別手段４０の解体分別場に搬送され、解体分別場に設けられた解体機器（図示せず）を用いて解体する。そして、柱上トランスの容器及び鉄心並びにＪＥＭＡ機器の容器等を構成している鉄類、柱上トランスの巻き線、ＪＥＭＡ機器の導線、及び端子板等を構成している銅類、柱上トランスの端子絶縁材等を構成している碍子類に、それぞれ分別する（以上、第３工程）。
【００３３】
ロータリーキルン２１の下流側から排出される焼却残渣は、ロータリーキルン２１に連通する二次燃焼炉２５の下流側に設けられた排出口２５ａを介して外部に排出され、灰出しコンベア４１を介して図２に示すリサイクル手段２６に供給される。リサイクル手段２６に供給された焼却残渣は、製鉄集塵ダストと共に撹拌機２８に投入されてと混合され、得られた混合物は、加熱炉２９に導入して９００〜１０００℃の温度で焼成し、混合物中の炭素を除去して加熱処理物を製造する。そして、得られた加熱処理物を混合機３０に投入し、塩化カルシウムを加えて混合して成形用配合物を製造し、得られた成形用配合物を造粒機３１を用いてペレットに成形し、乾燥機３２で乾燥した後、熱処理炉３３を用いてペレットを７００℃以上で加熱し、ペレット中の非鉄金属成分を塩化物にして揮発させる。これにより、高炉原料が得られる（以上、第４工程）。
なお、加熱炉２９から排出される加熱処理物は、そのままセメント副原料とすることができる。
【００３４】
また、二次燃焼炉２５から排出される排ガスは、図３に示す排ガス処理手段２７の冷却塔３４に導入されて冷却され、冷却塔３４から排出された冷却後の排ガスは洗浄塔３５に供給されて排ガス中の塩化水素、硫黄酸化物、塵が除去される。そして、洗浄塔３５から排出された排ガスは、電気集塵機３６で除塵され、脱硫塔３７で排ガス中に残存する二酸化硫黄が除去され、更にダイオキシン除去塔３９で排ガス中のダイオキシンを吸着除去されて、煙突を介して大気中に放出される（以上、第５工程）。
【００３５】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、処理対象物中、微量ＰＣＢ汚染物をロータリーキルンに入れて焼却処理したが、微量ＰＣＢ汚染物を固定床炉に入れて加熱処理し、発生した加熱残渣をロータリーキルンに投入するようにしてもよい。
また、処理対象物を、微量ＰＣＢ汚染絶縁油、微量ＰＣＢ汚染廃電気機器、及び微量ＰＣＢ汚染物のいずれか１つ又は任意の２つの組合せから構成することも、微量ＰＣＢ汚染絶縁油、微量ＰＣＢ汚染廃電気機器、及び微量ＰＣＢ汚染物のいずれか１つ又は任意の２つの組合せに産廃物を加えた構成としてもよい。
【符号の説明】
【００３６】
１０：ＰＣＢ含有物の処理設備、１１：トラック、１２：汚染物用保管容器、１３：タンクローリー、１４：汚染油貯蔵タンク、１５：産廃物保管容器、１６：ポンプ、１７：汚染油受入管、１８：開蓋抜油手段、１９：台車、２０：固定床炉、２１：ロータリーキルン、２２：燃焼排ガス配管、２３：ポンプ、２４；汚染油輸送管、２５：二次燃焼炉、２５ａ：排出口、２６：リサイクル手段、２７：排ガス処理手段、２８：撹拌機、２９：加熱炉、３０：混合機、３１：造粒機、３２：乾燥機、３３：熱処理炉、３４：冷却塔、３５：洗浄塔、３６：湿式電気集塵器、３７：脱硫塔、３８：排ガスファン、３９：ダイオキシン除去塔、４０：解体分別手段、４１：灰出しコンベア
【図１】
2012106182.tif 000003
【図２】
2012106182.tif 000004
【図３】
2012106182.tif 000005